(57)【要約】【課題】複数の資料をまとめたものを多人数に配布するのに好適な機能を有する印刷装置を提供する。【解決手段】読み取り制御部２で読み取ったデータを一旦ファイルとして文書蓄積部３に蓄積して、後にファイルを指定して印刷することができる文書蓄積機能及び、ソート／ステープル印刷機能を有する印刷装置において、複数のファイルを同時に指定し、かつ複数部数ソート印刷を指定することが可能な操作パネル１と、複数ファイルを一文書としてソート・ステープル印刷するための画像形成部４及び、印刷出力制御部５を備えた。【選択図】      図１
2004330519.tif 000002
【特許請求の範囲】
【請求項１】
読み取り制御部で読み取ったデータを一旦ファイルとして文書蓄積部に蓄積して、後にファイルを指定して印刷することができる文書蓄積機能及び、ソート／ステープル印刷機能を有する画像形成装置において、複数のファイルを同時に指定し、かつ複数部数ソート印刷を指定することが可能な操作パネルと、複数ファイルを一文書としてソート・ステープル印刷するための画像形成部及び、画像出力制御部を備えたことを特徴とする画像形成装置。
【請求項２】
請求項１の画像形成装置において、前記画像出力制御部は、複数ページからなるファイルの中の複数文書の先頭の指定ページのみを一文書としてソート・ステープル印刷することを特徴とする画像形成装置。
【請求項３】
請求項１の画像形成装置において、前記画像出力制御部は、ステープル可能枚数までのファイルをまとめて印刷することを特徴とする画像形成装置。
【請求項４】
読み取り制御部で読み取ったデータを一旦ファイルとして文書蓄積部に蓄積して、後にファイルを指定して印刷することができる文書蓄積機能及び、ソート／ステープル印刷機能を有する画像形成方法において、複数のファイルを同時に指定し、かつ複数部数ソート印刷を指定することが可能な操作ステップと、複数ファイルを一文書としてソート・ステープル印刷するための画像形成ステップ及び、画像出力制御ステップを備えたことを特徴とする画像形成方法。
【請求項５】
請求項４の画像形成方法において、前記画像出力制御ステップは、複数ページからなるファイルの中の複数文書の先頭の指定ページのみを一文書としてソート・ステープル印刷することを特徴とする画像形成方法。
【請求項６】
請求項４の画像形成方法において、前記画像出力制御ステップは、ステープル可能枚数までのファイルをまとめて印刷することを特徴とする画像形成方法。
【発明の詳細な説明】
【０００１】
【発明の属する技術分野】
本発明は、画像形成装置に関し、特に蓄積文書を一括印刷するための手段を備えた画像形成装置に関するものである。
【０００２】
【従来の技術】
読み取り制御部で読み取ったデータを一旦ファイルとして文書蓄積部に蓄積して、後にファイルを指定して印刷することができる文書蓄積機能及び、ソート／ステープル印刷機能を有する印刷装置が知られている。文書蓄積機能に付いては、例えば、特許文献１に記載されている。
【特許文献１】特開平８−１４７４４６号公報
【０００３】
【発明が解決しようとする課題】
会議などで多人数に複数の資料を配布する際に、それぞれの資料を個別にソート・ステープルでまとめても、資料が多数の場合は配布に労力を要する。
本発明は、複数の資料をまとめたものを多人数に配布するのに好適な機能を有する画像形成装置を提供することを目的とする。
【０００４】
【課題を解決するための手段】
上記目的を達成するために、請求項１記載の発明は、読み取り制御部で読み取ったデータを一旦ファイルとして文書蓄積部に蓄積して、後にファイルを指定して印刷することができる文書蓄積機能及び、ソート／ステープル印刷機能を有する画像形成装置において、複数のファイルを同時に指定し、かつ複数部数ソート印刷を指定することが可能な操作パネルと、複数ファイルを一文書としてソート・ステープル印刷するための画像形成部及び、画像出力制御部を備えたことを特徴とする。
請求項２記載の発明は、請求項１の画像形成装置において、前記画像出力制御部は、複数ページからなるファイルの中の複数文書の先頭の指定ページのみを一文書としてソート・ステープル印刷することを特徴とする。
請求項３記載の発明は、請求項１の画像形成装置において、前記画像出力制御部は、ステープル可能枚数までのファイルをまとめて印刷することを特徴とする。
請求項４記載の発明は、読み取り制御部で読み取ったデータを一旦ファイルとして文書蓄積部に蓄積して、後にファイルを指定して印刷することができる文書蓄積機能及び、ソート／ステープル印刷機能を有する画像形成方法において、複数のファイルを同時に指定し、かつ複数部数ソート印刷を指定することが可能な操作ステップと、複数ファイルを一文書としてソート・ステープル印刷するための画像形成ステップ及び、画像出力制御ステップを備えたことを特徴とする。
請求項５記載の発明は、請求項４の画像形成方法において、前記画像出力制御ステップは、複数ページからなるファイルの中の複数文書の先頭の指定ページのみを一文書としてソート・ステープル印刷することを特徴とする。
請求項６記載の発明は、請求項４の画像形成方法において、前記画像出力制御ステップは、ステープル可能枚数までのファイルをまとめて印刷することを特徴とする。
【０００５】
【発明の実施の形態】
以下、図面により本発明の実施の形態を詳細に説明する。
図１は本発明の実施の形態に係る印刷装置の機能ブロック図である。その構成を動作と併せて説明する。
操作パネル１より文書蓄積の指示がされると、読み取り制御部２が読み取り処理を行い、文書蓄積部３にデータを溜める。そこで、操作パネル１より蓄積文書の印刷指示が出されると、画像形成部４は文書蓄積部３のデータを取得し、画像形成を行う。画像形成されたデータは印字出力制御部５に送られ、そこで印字出力がなされる。
本発明では、操作パネル１からの「まとめてステープル」等の指示により画像形成部４と印字出力制御部１０５が指示通りの制御を行うようになっている。
図２は本発明の第１の制御例のフロー図である。あらかじめ読みこまれた複数文書に対して、まとめてソート（ステープル）印刷の指示がされたら（Ｓ１）、通常通り初めの文書を一部印刷する（Ｓ２）。そこで次の文書が存在したら（Ｓ３ではい）、次の文書を続けて印刷する（Ｓ４）。
次の文書が存在しない、つまり最後の文書まで印刷し終わったら（Ｓ３でいいえ）、そこを区切りとする。ステープル指示があるときには、今まで印刷したものをまとめてステープルして排出する（Ｓ５）。それにより１部が終了したことになるので、この処理をまとめて指定部数まで印刷をする。指定部数の最後まできたら（Ｓ６ではい）、印刷が終了する（Ｓ７）。
【０００６】
図３は本発明の第２の制御例のフロー図である。あらかじめ読みこまれた複数文書に対して、初めの指定枚数だけまとめてソート（ステープル）印刷の指示がされたら（Ｓ１）、初めの文書の指定枚数を一部印刷する（Ｓ２）。そこで次の文書が存在したら（Ｓ３ではい）、次の文書の初めの指定枚数を続けて印刷する（Ｓ４）。
次の文書が存在しない、つまり最後の文書まで印刷し終わったら（Ｓ３でいいえ）、そこを区切りとする。ステープル指示があるときには、今まで印刷したものをまとめてステープルして排出する（Ｓ５）。それにより１部が終了したことになるので、この処理をまとめて指定部数まで印刷をする。指定部数の最後まできたら（Ｓ６ではい）、印刷が終了する（Ｓ７）。
図４は本発明の第３の制御例のフロー図である。あらかじめ読みこまれた複数文書に対して、まとめてステープル印刷の指示がされたら（Ｓ１）、通常通り初めの文書を一部印刷する（Ｓ２）。そこで次の文書が存在したら（Ｓ３ではい）、その次の文書のページ数を現在までのページ数に加算したものが、ステープル可能枚数をオーバーしない場合は（Ｓ４ではい）、次の文書を続けて印刷する（Ｓ５）。オーバーする場合は（Ｓ４でいいえ）その部までをステープルして排出する（Ｓ６）。
ステープル可能枚数をオーバーするために途中の文書でステープル排出した場合にも、排出後に次の文書を印刷する。次の文書が存在しない、つまり最後の文書まで印刷し終わった場合にも（Ｓ３でいいえ）、ステープル排出する（Ｓ７）。この処理をまとめて指定部数まで印刷をする。指定部数の最後まできたら（Ｓ８ではい）、印刷が終了する（Ｓ９）。
【０００７】
【発明の効果】
以上説明したように、請求項１によれば、蓄積文書を試し印刷で内容をチェックするなどした上で、必要な資料を選択して印刷指示することで、複数の資料をまとめたものを多人数に配布するのが容易になる。
請求項２によれば、複数蓄積文書の初めの数ページをまとめて印刷する指定ができるので、複数資料の目次になるものを手軽に作ることができる。
請求項３によれば、ステープル可能枚数以上にならない複数文書をまとめてステープルすることができるので、大量文書をステープルによりまとめることで配布し易くしたいという目的を可能な限り達成することができる。
【図面の簡単な説明】
【図１】本発明の実施の形態に係る印刷装置の機能ブロック図である。
【図２】本発明の第１の制御例のフロー図である。
【図３】本発明の第２の制御例のフロー図である。
【図４】本発明の第３の制御例のフロー図である。
【符号の説明】
１  操作パネル、２  読み取り制御部、３  文書蓄積部、４  画像形成部、５印字出力制御部
【図１】
2004330519.tif 000003
【図２】
2004330519.tif 000004
【図３】
2004330519.tif 000005
【図４】
2004330519.tif 000006